(57)【要約】【課題】ベルトの蛇行量を数値化することによって、蛇行量の判定において人による差をなくし、蛇行量の限度を設定することで適正検査とし、発音等の問題が発生せずなおかつ問題が発生しない程度の少量の蛇行量を有するベルトをスクラップにすることがなく、屑量を低減できるベルトの蛇行測定方法を提供する。【解決手段】ベルトの蛇行量を測定する手段であって、少なくとも一つの固定された第１プーリ８と、固定されていない第２プーリ９と、該第２プーリ９の水平又は鉛直からの角度を測定する為の指針１３と、指針１３の傾きを測定する為の測定具を有したベルト蛇行量測定手段１０である。【選択図】図３
2006292735.tif 000002
【特許請求の範囲】
【請求項１】
ベルトの蛇行量を測定する手段であって、少なくとも一つの固定された第１プーリと、固定されていない第２プーリと、該第２プーリの水平又は鉛直からの角度を測定する為の指針と、指針の傾きを測定する為の測定具を有したことを特徴とするベルト蛇行量測定手段。
【請求項２】
前記第２プーリの円周面には、前記ベルト幅と同幅の溝が刻設されている請求項１に記載のベルト蛇行量測定手段。
【請求項３】
前記ベルトが少なくとも伸張部と圧縮部を有し、該伸張部にはベルト長手方向に沿って心線を埋設したＶリブドベルトである請求項１又は２に記載のベルト蛇行量測定手段。
【請求項４】
ベルトの蛇行量を測定する方法であって、少なくとも一方が固定されている一対のプーリにベルトを懸架するときに、固定された第１プーリにベルトを懸けた後、ベルトの内周側に他方の第２プーリを鉛直方向に吊るし、該第２プーリの鉛直方向からの傾き角度或いは水平方向からの傾き角度を測定することによって、ベルトの蛇行量を測定することを特徴とするベルトの蛇行測定方法。
【請求項５】
前記第２プーリの円周面には、前記ベルト幅と同幅の溝が刻設されている請求項４に記載のベルトの蛇行測定方法。
【請求項６】
前記ベルトが少なくとも伸張部と圧縮部を有し、該伸張部にはベルト長手方向に沿って心線を埋設したＶリブドベルトである請求項４又は５に記載のベルトの蛇行測定方法。
【発明の詳細な説明】
【技術分野】
【０００１】
本発明は、駆動装置などの動力伝動に用いられる動力伝動ベルトの蛇行測定方法に関する。
【背景技術】
【０００２】
通常ベルトを製造する際には、ドラム状にてベルトを製造し、歯付ベルトであれば所定の幅にカットし、ＶベルトやＶリブドベルトのような摩擦伝動ベルトにおいては、V形状の数や、所定のリブ数にてドラムをカットし、無端状のベルトとしている。ここで、ドラム状のベルトを成形するときに、心線である抗張体を金型上或いは金型に巻きつけたゴムシート上に巻きつけていくが、心線の巻き始めと巻き終わりの張力が不安定となり、これが原因で、ドラムの両端部のベルトについては、心線の張力の低い側にベルトが湾曲する為に、ベルトに湾曲が発生する。
【０００３】
このように湾曲したベルトを使用すると、例えばＶリブドベルトの場合は、プーリ溝にＶリブが斜めに入るようになり、プーリ溝とＶリブの干渉が起こり、発音が発生し、更にひどくなるとＶリブのプーリ溝からの脱落が発生していた。
【０００４】
これらのベルトの蛇行については、従来は目視で確認しており、少しでも蛇行が発生していると不合格とし、ベルトのスクラップ屑が多量に発生していた。
【０００５】
又、ベルトの蛇行を検知、測定し、防止する方法として特許文献１に記載の方法があるが、装置が大掛かりになることと、費用が掛かることより、現実的ではなかった。
【０００６】
【特許文献１】特開２００４−３５９３７９号公報
【発明の開示】
【発明が解決しようとする課題】
【０００７】
又、現行の蛇行量の判定は目視でおこなっていたので、人による差があり、蛇行の判定基準もばらばらであった。
【０００８】
本発明は上記の点に鑑みてなされたものであり、ベルトの蛇行量を数値化することによって、蛇行量の判定において人による差をなくし、蛇行量の限度を設定することで適正検査とし、発音等の問題が発生せずなおかつ問題が発生しない程度の少量の蛇行量を有するベルトをスクラップにすることがなく、屑量を低減できる簡易でコストの掛からないベルトの蛇行測定方法を提供することを目的とするものである。
【課題を解決するための手段】
【０００９】
本発明は、ベルト蛇行量測定手段及びそれを使用したベルトの蛇行測定方法に係り、ベルトの蛇行量を測定する手段であって、少なくとも一つの固定されたプーリと、固定されていない第２プーリと、該第２プーリの水平又は鉛直からの角度を測定する為の指針と、指針の傾きを測定する為の測定具を有したベルト蛇行量測定手段にある。
【００１０】
請求項２に記載の発明は、前記第２プーリの円周面には、前記ベルト幅と同幅の溝が刻設されている請求項１に記載のベルト蛇行量測定手段にある。
【００１１】
請求項３に記載の発明は、前記ベルトが少なくとも伸張部と圧縮部を有し、該伸張部にはベルト長手方向に沿って心線を埋設したＶリブドベルトである請求項１又は２に記載のベルト蛇行量測定手段にある。
【００１２】
請求項４に記載の発明は、ベルトの蛇行量を測定する方法であって、少なくとも一方が固定されている一対のプーリにベルトを懸架するときに、固定されたプーリにベルトを懸けた後、ベルトの内周側に他方の第２プーリを鉛直方向に吊るし、該第２プーリの鉛直方向からの傾き角度或いは水平方向からの傾き角度を測定することによって、ベルトの蛇行量を測定するベルトの蛇行測定方法にある。
【００１３】
請求項５に記載の発明は、前記第２プーリの円周面には、前記ベルト幅と同幅の溝が刻設されている請求項４に記載のベルトの蛇行測定方法にある。
【００１４】
また請求項６の発明は、前記ベルトが伸張部と圧縮部を有し、該伸張部にはベルト長手方向に沿って心線を埋設したＶリブドベルトである請求項４又は５に記載のベルトの蛇行測定方法にある。
【発明の効果】
【００１５】
本発明によると、ベルトの蛇行量を測定する手段であって、少なくとも一つの固定されたプーリと、固定されていない第２プーリと、該第２プーリの水平又は鉛直からの角度を測定する為の指針と、指針の傾きを測定する為の測定具を有したベルト蛇行量測定手段であることから、ベルトの蛇行量を数値化でき、蛇行量の判定において人による差をなくし、蛇行量の限度を設定することで適正検査とすることができる。
【００１６】
請求項２に記載の発明によると、前記第２プーリの円周面には、前記ベルト幅と同幅の溝が刻設されている請求項１に記載のベルト蛇行量測定手段であることから、ベルトがプーリから外れることがなく、正確にベルトの蛇行量を測定することができる。
【００１７】
請求項３に記載の発明によると、前記ベルトが伸張部と圧縮部を有し、該伸張部にはベルト長手方向に沿って心線を埋設したＶリブドベルトである請求項１又は２に記載のベルトの蛇行測定方法であることから、湾曲による蛇行でＶリブとプーリ溝との干渉が起こり発音し易いＶリブドベルトに特に効果がある。
【００１８】
請求項４に記載の発明によると、ベルトの蛇行量を測定する方法であって、少なくとも一方が固定されている一対のプーリにベルトを懸架するときに、固定されたプーリにベルトを懸けた後、ベルトの内周側に他方の第２プーリを鉛直方向に吊るし、該第２プーリの鉛直方向からの傾き角度或いは水平方向からの傾き角度を測定することによって、ベルトの蛇行量を測定するベルトの蛇行測定方法であることから、ベルトの蛇行量を数値化でき、蛇行量の判定において人による差をなくし、蛇行量の限度を設定することで適正検査とすることができるという効果がある。
【００１９】
請求項５に記載の発明によると、前記第２プーリの円周面には、前記ベルト幅と同幅の溝が刻設されている請求項４に記載のベルトの蛇行測定方法であることから、ベルトがプーリから外れることがなく、正確にベルトの蛇行量を測定することができる。
【００２０】
請求項６に記載の発明によると、前記ベルトが伸張部と圧縮部を有し、該伸張部にはベルト長手方向に沿って心線を埋設したＶリブドベルトであることから、湾曲による蛇行でＶリブとプーリ溝との干渉が起こり発音し易いＶリブドベルトに特に効果がある。
【発明を実施するための最良の形態】
【００２１】
以下、本発明を実施するための最良の形態を説明する。
図１は本発明の方法を用いる動力伝動用ベルトの一実施形態の断面斜視図である。図１は、動力伝動用ベルトの中でもＶリブドベルト１を例示している。Ｖリブドベルト１は、カバー帆布３からなる伸張部２と、心線４を埋設した接着ゴム層５、その下側に弾性体層である圧縮部６からなっている。この圧縮部６は、ベルト長手方向に延びる断面略三角形である台形の複数のリブ７を有している。ここで、心線４と接するゴム層は接着ゴム層５を構成するゴム層をいう。
【００２２】
本発明で使用する心線３は、例えばポリアリレート繊維、ポリブチレンテレフタレート（ＰＢＴ）繊維、ポリエチレンテレフタレート（ＰＥＴ）繊維、ポリトリメチレンテレフタレート（ＰＴＴ）繊維、ポリエチレンナフタレート（ＰＥＮ）繊維などのポリエステル繊維、アラミド繊維、ガラス繊維などのコードを用いることができる。ガラス繊維の組成は、Ｅガラス、Ｓガラス（高強度ガラス）のいずれでもよく、フィラメントの太さ及びフィラメントの収束本数及びストランド本数に制限されない。
【００２３】
上記圧縮部６及び伸張部２には、天然ゴム、スチレン‐ブタジエンゴム、クロロプレンゴム、アルキル化クロロスルフォン化ポリエチレン、水素化ニトリルゴム、水素化ニトリルゴムと不飽和カルボン酸金属塩との混合ポリマー等のゴム材の単独、又はこれらの混合物に、例えばパラ系アラミド繊維（商品名：トワロン、ケプラー、テクノーラ）単独、或いはパラ系アラミド繊維とナイロンとの混合したものがゴム中に混入され、ベルト幅方向へ配向している。具体的には、パラ系アラミド繊維とナイロンとの混合したものがゴム中に混入され、ベルト幅方向へ配向している。この短繊維の添加量は、ゴム１００質量部に対して５〜４０質量部、好ましくは８〜１５質量部である。
【００２４】
接着ゴム層５には、上記短繊維を含めてもよいが、好ましくは含めない。
【００２５】
カバー帆布３は織物、編物、不織布などから選択される繊維基材である。構成する繊維素材としては、公知公用のものが使用できるが、例えば綿、麻等の天然繊維や、金属繊維、ガラス繊維等の無機繊維、そしてポリアミド、ポリエステル、ポリエチレン、ポリウレタン、ポリスチレン、ポリフロルエチレン、ポリアクリル、ポリビニルアルコール、全芳香族ポリエステル、アラミド等の有機繊維が挙げられる。織物の場合は、これらの糸を平織り、綾織、朱子織等することにより製織される。
【００２６】
上記カバー帆布３は、公知技術に従って、ＲＦＬ液に浸漬することが好ましい。またＲＦＬ液に浸漬後、未加硫ゴムをカバー帆布に擦り込むフリクションを行ったり、ゴムを溶剤に溶かしたソーキング液に浸漬処理することができる。尚、ＲＦＬ液には適宜カーボンブラック液を混合して処理反を黒染めしたり、公知の界面活性剤を０．１〜５．０質量部加えても良い。
【００２７】
本発明のベルト蛇行量測定手段は、まず、プーリ支持台を垂直に接合した基盤を床面に設置し、さらに、該基盤を水準器にて床面との水平度を調整する。そして、該支持台に少なくとも一つの第１プーリ８を固定し、さらに固定されていない第２プーリ９を準備する。ここで、第２プーリ９は錘としての機能も有する。そして、該第２プーリ９の水平又は鉛直からの角度を測定する為の指針１３と、指針１３の傾きを測定する為の測定具を準備する。該指針１３は、プーリの中心点に設置するのが好ましい。
測定具は、指針１３の背面に分度器を床面と垂直に設置されたプーリ支持台に固定して水平器を用いて正確に設置する。又、測定具としては、デジタル水平器を使用することもできる。
【００２８】
本発明のベルト蛇行量測定手段は、ベルトとしては、２５〜７０インチの長さのベルト、Ｖリブドベルトに使用する場合は、２〜１０リブに適用される。又使用される一例として、プーリ径は６０ｍｍ、錘として使用する第２プーリは１．０ｋｇｆのものを使用するが、これに限られるものではない。
【００２９】
ベルト蛇行量の測定方法は、少なくとも一つの固定された基準面１１を有する第１プーリ８にベルトを該基準面１１に当接して懸け、さらにベルト内周側に固定されていない第２プーリ９を載置する。該第２プーリ９はその略中央部に指針１３を有し、該第２プーリ９が傾くと指針１３も傾く。そして、床面に設置され、水準器にて床面と水平に設置された基盤と垂直に接合されたプーリ支持台に分度器を設置する。そしてその分度器によって、該指針１３の水平面からの傾き角度或いは垂直方向からの傾き角度を読み取る。そして、その読み取った角度をベルトの蛇行量とし、一定値を超えると、そのベルトは蛇行ベルトとして不良品として廃棄される。該傾き角度はデジタル水平器を使用して測定しても良い。デジタル水平器を使用する場合の一例としては、デジタル社製のＷＹＬＥＲを使用する。
【図面の簡単な説明】
【００３０】
【図１】本発明に係る動力伝動用ベルトの断面斜視図である。
【図２】本発明のベルト蛇行量測定手段を示した概略図である。
【図３】本発明のベルト蛇行量測定手段を示した概略図で、ベルト蛇行量が大のベルトを懸けたときの図である。
【符号の説明】
【００３１】
１    Ｖリブドベルト
２    伸張部
３    ベルト背面
４    心線
５    接着ゴム層
６    圧縮部
７    リブ
８    第１プーリ
９    第２プーリ
１０  ベルト蛇行量測定手段
１１  基準面
１３  指針
１５  分度器
【図１】
2006292735.tif 000003
【図２】
2006292735.tif 000004
【図３】
2006292735.tif 000005